(57)【要約】      （修正有）【課題】共通の１つのテンプレートベースに基づき種々の態様の複数のテンプレートを容易に作成し、利便性を向上させる。【解決手段】印字ラベル作成装置は、操作キー部と、タッチパネル部と、ＣＰＵと、を有し、ＣＰＵは、複数のテンプレートに関して共通となる１つのテンプレートベースＴｂを取得し、タッチパネル部を介した操作に対応して、上記タッチパネル部に表示されたテンプレートベースＴｂに対し、少なくとも１つのテキスト入力枠Ｗの位置変更、少なくとも１つのテキスト入力枠Ｗの消失、幅方向寸法の変更、及び、長手方向寸法の変更のうち、少なくとも１つの加工を行って加工後のテンプレートベースＴｂを生成し、操作キー部を介した確定操作に対応し、加工後のテンプレートベースＴｂにおける、すべてのテキスト入力枠Ｗを位置変更不能に確定して、１つのテンプレートＴ１を生成する。【選択図】図８
2015149014.tif 000002
【特許請求の範囲】
【請求項１】
所望のテキスト文字を入力可能な複数のテキスト入力枠をそれぞれ割り付けた、複数のテンプレートを作成可能なテンプレート作成装置であって、
所望の操作を実行可能な操作手段と、
所定の表示を行う表示手段と、
記憶手段と、
前記テキスト入力枠が複数箇所に配置されるとともに所定の幅方向寸法及び長手方向寸法を備え、前記複数のテンプレートに関して共通となる１つのテンプレートベース、を取得するテンプレートベース取得手段と、
前記操作手段を介した操作に対応して、前記テンプレートベース取得手段で取得され前記表示手段に表示された前記テンプレートベースに対し、少なくとも１つの前記テキスト入力枠の位置変更、少なくとも１つの前記テキスト入力枠の消失、前記幅方向寸法の変更、及び、前記長手方向寸法の変更のうち、少なくとも１つの加工を行って加工後テンプレートベースを生成する、テンプレートベース加工手段と、
前記操作手段を介した確定操作に対応して、前記テンプレートベース加工手段で加工され前記表示手段に表示された前記加工後テンプレートベースにおける、すべての前記テキスト入力枠を位置変更不能に確定して、１つの前記テンプレートを生成するテンプレートベース確定手段と、
前記操作手段を介した記憶指示操作に対応して、前記テンプレートベース確定手段により生成された前記１つのテンプレートを前記記憶手段に格納する記憶処理手段と、
を有することを特徴とするテンプレート作成装置。
【請求項２】
請求項１記載のテンプレート作成装置において、
前記操作手段及び前記表示手段を兼ねるタッチパネルと、
前記タッチパネルに対する所定態様の接触操作を検出する操作検出手段と、
を有し、
前記テンプレートベース加工手段は、
前記操作検出手段により、前記タッチパネルにおいて、所定の位置変更操作、所定の枠消失操作、所定の幅変更操作、及び、所定の長さ変更操作のうちいずれかの操作が行われたことが検出された場合に、これに対応して、前記テキスト入力枠の位置変更、前記テキスト入力枠の消失、前記幅方向寸法の変更、前記長手方向寸法の変更、のうちいずれかの加工を行う
ことを特徴とするテンプレート作成装置。
【請求項３】
請求項１又は請求項２記載のテンプレート作成装置において
前記テンプレートベース取得手段により取得され前記表示手段に表示された前記テンプレートベースに含まれる前記複数のテキスト入力枠のうち少なくとも１つのテキスト入力枠に対する、前記操作手段を介した新たな前記テキスト文字の入力を受け付ける、テキスト入力受付手段を有し、
前記テンプレートベース加工手段は、
前記テキスト入力受付手段による前記新たなテキスト文字の入力の受付のない前記テキスト入力枠を、前記表示手段に表示された前記テンプレートベースから消失させる
ことを特徴とするテンプレート作成装置。
【発明の詳細な説明】
【技術分野】
【０００１】
本発明は、テンプレートを作成するテンプレート作成装置に関する。
【背景技術】
【０００２】
印刷装置がユーザの所望の印刷を実行する際に、ユーザが印刷内容を手動で設定入力する労力を軽減するために、いわゆるテンプレート（定型フォーマット）を用いる手法が既に知られている（例えば、特許文献１参照）。このテンプレートには、少なくとも１つのテキスト入力枠が予め割り付けられている。ユーザは、事前に用意された複数のテンプレートから適宜の１つのテンプレートを選ぶとともに、そのテンプレート中のテキスト入力枠に適宜のテキスト文字を入力するだけで、所望の印刷態様を簡単に実現することができる。
【先行技術文献】
【特許文献】
【０００３】
【特許文献１】特開平３−１３３７３３号公報
【発明の概要】
【発明が解決しようとする課題】
【０００４】
通常、各テンプレートにおいては、上記テキスト入力枠の配置位置や個数は固定的に設定される。上記従来技術では、用紙サイズに応じた複数のテキスト入力枠の伸縮等、多少のアレンジは可能となっているものの、例えばある１つのテンプレートに存在する複数のテキスト入力枠のうち、いずれか１つのテキスト入力枠を用いることなく印刷を行いたい場合や、すべてのテキスト入力枠を用いるもののいずれかの入力枠の配置位置を大幅に変更したい場合、等においては、対応困難であった。この結果、そのような場合には、１つのテンプレートのアレンジではなく別途新たなテンプレートがその都度必要となり、利便性が低かった。
【０００５】
本発明の目的は、共通の１つのテンプレートベースに基づき種々の態様の複数のテンプレートを容易に作成でき、利便性を向上できるテンプレート作成装置を提供することにある。
【課題を解決するための手段】
【０００６】
上記目的を達成するために、本願発明は、所望のテキスト文字を入力可能な複数のテキスト入力枠をそれぞれ割り付けた、複数のテンプレートを作成可能なテンプレート作成装置であって、所望の操作を実行可能な操作手段と、所定の表示を行う表示手段と、記憶手段と、前記テキスト入力枠が複数箇所に配置されるとともに所定の幅方向寸法及び長手方向寸法を備え、前記複数のテンプレートに関して共通となる１つのテンプレートベース、を取得するテンプレートベース取得手段と、前記操作手段を介した操作に対応して、前記テンプレートベース取得手段で取得され前記表示手段に表示された前記テンプレートベースに対し、少なくとも１つの前記テキスト入力枠の位置変更、少なくとも１つの前記テキスト入力枠の消失、前記幅方向寸法の変更、及び、前記長手方向寸法の変更のうち、少なくとも１つの加工を行って加工後テンプレートベースを生成する、テンプレートベース加工手段と、前記操作手段を介した確定操作に対応して、前記テンプレートベース加工手段で加工され前記表示手段に表示された前記加工後テンプレートベースにおける、すべての前記テキスト入力枠を位置変更不能に確定して、１つの前記テンプレートを生成するテンプレートベース確定手段と、前記操作手段を介した記憶指示操作に対応して、前記テンプレートベース確定手段により生成された前記１つのテンプレートを前記記憶手段に格納する記憶処理手段と、を有することを特徴とする。
【０００７】
印刷装置がユーザの所望の印刷を実行する際に、ユーザが印刷内容を手動で設定入力する労力を軽減するために、いわゆるテンプレートが用いられる場合がある。このテンプレートには、複数のテキスト入力枠が予め割り付けられている。ユーザは、事前に用意された複数のテンプレートから適宜の１つのテンプレートを選ぶとともに、そのテンプレート中の各テキスト入力枠に適宜のテキスト文字を入力するだけで、所望の印刷態様を簡単に実現することができる。
【０００８】
そして、本願発明においては、共通の１つのテンプレートベースが用意され、当該１つのテンプレートベースを適宜にアレンジすることで、所望の複数のテンプレートを容易に作成可能とする。すなわち、テンプレートベース取得手段により、上記共通の１つのテンプレートベースが取得される。
【０００９】
取得されたテンプレートベースは、表示手段において表示される。このテンプレートベースには、予めテキスト入力枠が複数箇所に配置されており、各テキスト入力枠の位置をユーザが自在に変更可能となっており、また適宜のテキスト入力枠の消失も実行可能となっている。さらに、テンプレートベースの幅方向寸法や長手方向寸法についても、ユーザが自在に変更可能に設定されている。ユーザが、上記テンプレートベースの表示状態において操作手段を介し適宜の操作を行うと、テンプレートベース加工手段により、上記操作に対応した少なくとも１つの加工（テキスト入力枠の位置変更、テキスト入力枠の消失、テキスト入力枠の幅方向寸法や長手方向寸法の変更、等）が行われる。
【００１０】
このようにして加工されたテンプレートベース（加工後テンプレートベース）は、表示手段に表示される。ユーザが、この加工後テンプレートベースの表示状態において操作手段を介し適宜の確定操作を行うと、テンプレートベース確定手段により、当該テンプレートベース中のすべてのテキスト入力枠の位置が変更不能に確定され、これによって１つのテンプレートが生成される。
【００１１】
こうして生成された１つのテンプレートに対し、ユーザが操作手段を介し適宜の記憶指示操作を行うと、記憶処理手段によって当該１つのテンプレートが記憶手段に格納される。
【００１２】
以上のようにして、本願発明のテンプレート作成装置では、ユーザは、共通の１つのテンプレートベースをアレンジ（具体的にはテキスト入力枠の削減・位置変更、テンプレートベースの寸法変更等）して、所望のテンプレートを作成できる。したがって、共通の１つのテンプレートベースに基づき、種々の態様の複数のテンプレートを容易に作成することができる。特に、１つのテンプレートを部分的に変えた複数種類のテンプレートを適宜に使用したい場合に、それら複数種類のテンプレートを共通の１つのテンプレートベースから容易に作成できるので、利便性を向上することができる。
【発明の効果】
【００１３】
本発明によれば、共通の１つのテンプレートベースに基づき種々の態様の複数のテンプレートを容易に作成でき、利便性を向上することができる。
【図面の簡単な説明】
【００１４】
【図１】本発明の一実施形態の印字ラベル作成装置の外観を示す斜視図である。
【図２】印字ラベル作成装置の平面図である。
【図３】タッチパネルにおける表示例を表す拡大平面図である。
【図４】カートリッジの内部構造を模式的に表す拡大平面図である。
【図５】印字ラベル作成装置の制御系を表す概念図である。
【図６】印字ラベルの一例、及び、印字ラベルを作成するために用いられるテンプレートの一例を表す説明図である。
【図７】テンプレートベースからテンプレートを作成する手法の一例を表す説明図である。
【図８】テンプレートベースからテンプレートを作成する手法の一例を表す説明図である。
【図９】作成された各テンプレートを用いて印刷された印字ラベルを表す説明図である。
【図１０】テンプレートベースからテンプレートを作成する手法の他の例を表す説明図である。
【図１１】テンプレートベースからテンプレートを作成する手法のさらに他の例を表す説明図である。
【図１２】テンプレート作成時に印字ラベル作成装置の制御回路のＣＰＵが実行する制御手順を表すフローチャートである。
【図１３】テンプレートを用いた印字ラベルの作成処理時に、印字ラベル作成装置の制御回路のＣＰＵが実行する制御手順を表すフローチャートである。
【図１４】図１３のステップＳ２００の詳細手順を表すフローチャートである。
【発明を実施するための形態】
【００１５】
以下、本発明の一実施の形態を図面を参照しつつ説明する。本実施形態では、本発明を印字ラベル作成装置に適用した場合について示す。
【００１６】
＜印字ラベル作成装置の概略構成＞
図１及び図２に示すように、印字ラベル作成装置１（テンプレート作成装置に相当）は、外郭を構成する筐体１Ａを備えている。筺体１Ａは、装置下面及び装置側面を構成する樹脂製の下カバー１５と、装置上面を構成する樹脂製の上カバー１７とからなる。上カバー１７は、後部側にカートリッジボルダ９（後述の図４参照）を覆うカートリッジカバー１７ａを備え、カートリッジカバー１７ａは、後端部を支点として開閉可能である。上カバー１７の前部側には、カートリッジカバー１７ａに隣接した例えば矩形状の開口縁部６が設けられている。開口縁部６の内側には、表示内容を透かした状態で視認しつつユーザ（操作者）が所望の操作入力を行える、タッチパネル部５Ａが配置されている。開口縁部６の周囲には操作キー部２が設けられている。なお、操作キー部２及びタッチパネル部５Ａが、各請求項記載の操作手段に相当する。またタッチパネル部５Ａは各請求項記載の表示手段にも相当している。操作キー部２には、上カバー１７の前方向から後方向に向けて、文字入力等の種々の操作が行われるキーボード３と、電源スイッチや上下左右キー等の印字ラベル作成装置１の各種機能を実行させるための機能キー群４とが配置されている。なお、機能キー群４は、電源ボタン４ｆや上下左右キー４ｄ等を含んでいる。
【００１７】
筺体１Ａの内部には、例えばタッチパネル部５Ａの下側に、後述の制御回路２１０（後述の図５参照）等を構成する電子素子（ＩＣチップ等）を実装した図示しないメイン基板と、メイン基板の上記制御回路２１０にコネクタを介して接続された図示しないキー基板とが設けられている。キー基板は、上記キーボード３及び機能キー群４を構成する各キーに対応する複数のキー用接点を有し、ユーザがキーボード３及び機能キー群４の各キーを操作した際にキー用接点が閉成され、これにより各キーに割り当てられた機能が実行される。
【００１８】
例えばユーザは、操作キー部２のキーボード３と機能キー群４の上下左右キー４ｄ等を使用し、タッチパネル部５Ａに表示される入力位置を変えながら文字等を入力して編集を行う。図３の例では、上記編集後の状態の一例を表しており、タッチパネル部５Ａ上に、ラベルイメージＭ（この例では、「４月１日」「羽島市米原１３」「内子  五郎」の印字イメージＲＭと、印字イメージＲＭを囲む長方形のラベル外形線イメージＱ）が表示されている。このようにして編集されたラベルイメージＭは、制御回路２１０のメモリ２２０（後述の図５参照）に記憶される。なお、図３において、タッチパネル部５ＡのうちラベルイメージＭの下側には、上記ラベルイメージＭを用いて生成される印字ラベルの大きさ寸法Ｎ（この例では幅１２ｍｍ、長さ３０ｍｍ）が表示されている。
【００１９】
＜カートリッジホルダ及びカートリッジ＞
筺体１Ａのカートリッジカバー１７ａの内側には、図４に示すように、印字済みラベル用テープ１０９を装置側へ供給するためのカートリッジ８が着脱可能な、上記カートリッジホルダ９が設けられている。このカートリッジホルダ９は、上記カートリッジカバー１７ａによって常には閉塞されており、カートリッジカバー１７ａを開放するとカートリッジホルダ９が露出される。カートリッジホルダ９には、カートリッジ８内の使用済みのインクリボン１０５を巻き取るためのリボン巻取りローラ駆動軸１０７と、カートリッジ８内のカバーフィルム１０３及び基材テープ１０１を搬送するためのテープ送りローラ駆動軸１０８とが設けられている。またカートリッジホルダ９には、カバーフィルム１０３に所望の印字形成を行うサーマルヘッド２３が、カートリッジ８の装着時にその開口部に位置するように設けられている。サーマルヘッド２３は、カバーフィルム３の搬送方向と直交する方向に配列された複数の発熱素子２３ａ（後述の図５参照）を備え、カバーフィルム３を搬送方向に印字解像度に分割してなる各印字ライン上に少なくとも各ドットを形成することにより、カバーフィルム３への印字を行う。
【００２０】
カートリッジ８は、筐体８Ａと、この筐体８Ａ内に配置され、帯状の上記基材テープ１０１が巻回された第１ロール１０２（実際は渦巻き状であるが、図では簡略的に同心円状に示す）と、上記基材テープ１０１と略同じ幅である透明な上記カバーフィルム１０３が巻回された第２ロール１０４（実際は渦巻き状であるが、図では簡略的に同心円状に示す）と、上記インクリボン１０５（熱転写リボン、但し被印字テープが感熱テープの場合は不要）が巻回されたリボン供給側ロール１１１と、印字後のインクリボン１０５を巻取るリボン巻取りローラ１０６と、カートリッジ８のテープ排出部の近傍に回転可能に支持された送りローラ２７とを有する。
【００２１】
第１ロール１０２は、リール部材１０２ａの周りに上記基材テープ１０１を巻回している。基材テープ１０１は、例えば、内側に巻かれる側よりその反対側へ向かって、貼り合わせ用の粘着剤層、ベースフィルム、貼り付け用の粘着剤層、剥離紙の順序で積層され構成されている。第２ロール１０４は、リール部材１０４ａの周りに上記カバーフィルム１０３を巻回している。
【００２２】
送りローラ２７は、上記基材テープ１０１と印字形成後の上記カバーフィルム１０３とを押圧して搬送しつつ接着させて上記印字済みラベル用テープ１０９とし、得られる印字済みラベル用テープ１０９を図４中矢印Ａで示す方向に搬送する。なお、リボン巻取りローラ１０６及び送りローラ２７は、ローラ駆動用モータ２０８（後述の図５参照）の駆動力が上記リボン巻取りローラ駆動軸１０７及びテープ送りローラ駆動軸１０８に伝達されることによって、連動して回転駆動される。なお、この回転駆動の際、サーマルヘッド２３に対向配置されるプラテンローラ２６や、送りローラ２７に対向配置される圧着ローラ２８も同様に回転する。
【００２３】
また、印字済みラベル用テープ１０９の搬送経路に沿って送りローラ２７及び圧着ローラ２８の下流側には、印字済みラベル用テープ１０９を所定の長さに切断するための、カッタ４０が設けられている。カッタ４０の下流側には、筺体１Ａの一方側（上記図２の図示左側）に開設されたラベル排出口１Ｂ（上記図２及び後述の図５参照）が設けられている。
【００２４】
＜印字ラベル作成装置の制御系＞
図５を用いて、印字ラベル作成装置１の制御系を説明する。図５において、印字ラベル作成装置１には、上記サーマルヘッド２３の発熱素子２３ａへの通電を行う印刷駆動回路２０５と、上記タッチパネル部５Ａを駆動するタッチパネル駆動回路２０７と、上記タッチパネル部５Ａへの指等の接触による指示操作等を検出する操作検出部１５（操作検出手段に相当）と、上記テープ送りローラ駆動軸１０８（図４参照）及びリボン巻取りローラ駆動軸１０７（図４参照）を駆動するローラ駆動用モータ２０８を制御するローラ駆動回路２０９と、カッタ４０を切断動作させるカッタソレノイド２８０への通電を制御するカッタソレノイド駆動回路３００と、印刷駆動回路２０５、タッチパネル駆動回路２０７、ローラ駆動回路２０９、カッタソレノイド駆動回路３００等を介し、印字ラベル作成装置１全体の動作を制御するための制御回路２１０と、が設けられている。
【００２５】
操作キー部２のキーボード３及び機能キー群４は制御回路２１０に接続されている。タッチパネル部５Ａは上記タッチパネル駆動回路２０７を介して制御回路２１０に接続されている。またタッチパネル部５Ａは操作検出部１５を介して制御回路２１０に接続されている。そして、制御回路２１０に、キーボード３、機能キー群４、及びタッチパネル部５Ａの操作に対応した操作信号が入力される。また、上記キーボード３や機能キー群等の編集操作及びタッチパネル部５Ａの操作、に基づくテキスト等のラベルイメージＭ（上記図３参照）が、タッチパネル部５Ａに表示される。制御回路２１０は、操作キー部２の操作及びタッチパネル部５Ａの操作による各設定に応じて、印刷駆動回路２０５、ローラ駆動回路２０９、ローラ駆動用モータ２０８、カッタソレノイド駆動回路３００等を制御する。
【００２６】
制御回路２１０は、いわゆるマイクロコンピュータであり、詳細な図示を省略するが、中央演算処理装置であるＣＰＵ、ＲＯＭ、及びＲＡＭ等から構成されるとともに、例えばＲＡＭからなるメモリ２２０（記憶手段に相当）を備えている。そして制御回路２１０は、ＲＡＭの一時記憶機能を利用しつつＲＯＭに予め記憶されたプログラム（後述の図７乃至図１１に示すタッチパネル部５Ａでの操作入力による実行プログラムを含む）に従って所定の処理を行う。
【００２７】
なお、制御回路２１０は、電源回路により給電されるとともに、通信回路を介し例えば通信回線に接続され、この通信回線に接続された図示しないルートサーバ、印字ラベル作成装置１を操作可能なＰＣ等の他の端末、汎用コンピュータ、及び情報サーバ等との間で情報のやりとりが可能となっている。
【００２８】
＜印字ラベル作成装置の基本動作＞
上記構成の印字ラベル作成装置１において、カートリッジ８が上記カートリッジホルダ９に装着されると、カバーフィルム１０３及びインクリボン１０５がサーマルヘッド２３とプラテンローラ２６との間に狭持されるとともに、基材テープ１０１及びカバーフィルム１０３が送りローラ２７と圧着ローラ２８との間に狭持される。一方、操作キー部２、タッチパネル部５Ａを介した編集操作により生成されたラベルイメージＭがメモリ２２０に一時的に格納されると共に、タッチパネル部５Ａに表示される。
【００２９】
そして、テープ送りローラ駆動軸１０８の駆動に伴い、リボン巻取りローラ１０６及び送りローラ２７が図４中矢印Ｂ及び矢印Ｃで示す方向にそれぞれ同期して回転駆動される。送りローラ２７の回転により圧着ローラ２８が回転し、第１ロール１０２から基材テープ１０１が繰り出されて送りローラ２７へ供給され、リボン巻取りローラ１０６の回転によりリボン供給ローラ１１１からインクリボン１０５が繰り出される。また、インクリボン１０５の繰り出しによりプラテンローラ２６が回転し、送りローラ２７、圧着ローラ２８、及びプラテンローラ２６の回転により第２ロール１４からカバーフィルム１０３が繰り出されて送りローラ２７へ供給される。このとき、メモリ２２０から上記格納されていたラベルイメージＭが読み出され、その読み出されたラベルイメージＭに基づき、印刷駆動回路２０５によりサーマルヘッド２３の複数の発熱素子２３ａが通電される。この結果、第２ロール１０４から繰り出されたカバーフィルム１０３の裏面に、上記ラベルイメージＭに対応した所望の印字Ｒ（図５参照。図示の例ではテキスト「ＡＢ・・」）が印刷される。
【００３０】
そして、上記基材テープ１０１と上記印刷が終了したカバーフィルム１０３とが上記送りローラ２７及び圧着ローラ２８により接着されて一体化されることにより印字済みラベル用テープ１０９として形成され、テープ排出部よりカートリッジ８外へと搬出される。カバーフィルム１０３への印字Ｒの形成が終了したインクリボン１０５は、リボン巻取りローラ駆動軸１０７の駆動によりリボン巻取りローラ１０６に巻取られる。
【００３１】
その後、送りローラ２７のラベル搬送方向下流側のカッタ４０が作動して、印字済みラベル用テープ１０９が所定の長さに切断され、所望の長さの印字ラベルＬ１，Ｌ２，Ｌ３（後述の図９（ａ）〜（ｃ）参照。なお、各印字ラベルを特に区別しない場合、単に「印字ラベルＬ」という）が生成される。生成された印字ラベルＬは、筺体１Ａの排出口１Ｂから印字ラベル作成装置１の外部へ排出される。
【００３２】
＜テンプレートを用いたラベルイメージの作成＞
上記のようにして印字ラベル作成装置１によりユーザの所望の印字ラベルＬが作成される際、ユーザが印刷内容を手動で設定入力する労力を軽減するために、本実施形態では、テンプレートが用いられる。図６（ａ）は、図３に示したラベルイメージＭにより作成された印字ラベルＬ０の一例（後述の図９（ａ）に示す印字ラベルＬ１と同一）を表している。図６（ｂ）は、当該印字ラベルＬを作成するために使用されるテンプレートＴ０の一例（後述の図８（ｃ）に示すテンプレートＴ１と同一）を表す。
【００３３】
図６（ａ）に示すように、この印字ラベルＬ０には、上記図３のラベルイメージＭに対応し、日付を表す「４月１日」のテキスト、住所を表す「羽島市米原１３」のテキスト、及び名前を表す「内子  五郎」のテキストからなる印字Ｒが形成されている。
【００３４】
図６（ｂ）に示すように、上記印字ラベルＬ０を作成するために用いられるテンプレートＴ０には、複数の（この例では３つの）テキスト入力枠Ｗが予め割り付けられている。本実施形態では、上記メモリ２２０に複数のテンプレート（後述の手法により作成され完成されたもの）が事前に記憶されている。そして、ユーザは、それら用意された複数のテンプレートから適宜の１つのテンプレート（図示の例ではテンプレートＴ０）を選ぶとともに、そのテンプレートＴ０中の各テキスト入力枠Ｗに適宜のテキスト文字（図示の例では「４月１日」「羽島市米原１３」「内子五郎」のテキスト文字）を入力する。印字ラベル作成装置１では、このようにしてテンプレートＴ０を用いて上記ラベルイメージＭを生成することで、ユーザの所望の印刷態様の印字ラベルＬを簡単に作成することができる。
【００３５】
＜固定的設定のテンプレートにおける不都合＞
テンプレートＴ０において、上記複数のテキスト入力枠Ｗの配置位置やテキスト入力枠Ｗの個数が固定的に設定されている場合を想定する。このような場合、１つのテンプレートＴ０に存在する複数のテキスト入力枠Ｗのうち、いずれか１つのテキスト入力枠Ｗは使用せずに（残りのテキスト入力枠Ｗだけを用いて）印刷を行いたい場合や、すべてのテキスト入力枠Ｗを用いるもののいずれかの入力枠Ｗの配置位置を大幅に変更したい場合、等においては、テンプレートＴ０とは別の新たなテンプレートがその都度必要となる。したがって、ユーザにとって不都合で利便性が低い。
【００３６】
＜本実施形態の特徴＞
本実施形態の特徴は、上記を解消するために、共通の１つのテンプレートベース（詳細は後述）を用意してタッチパネル部５Ａに表示し、その表示された１つのテンプレートベースを適宜にアレンジすることで、所望の複数のテンプレートＴ１，Ｔ２，Ｔ３・・（詳細は後述）を容易に作成可能としたことである。以下、その詳細を、図７〜図１４を用いて順を追って説明する。
【００３７】
＜テンプレートの作成例１＞
まず、例えば上記テンプレートベースが読み出され、表示される。すなわち、本実施形態では、デフォルトとしての１つのテンプレートベースＴｂが、メモリ２２０に予め作成され記憶されている。図７（ａ）に示すように、ユーザによる操作キー部２の適宜の操作により、上記テンプレートＴｂが読み出され、タッチパネル部５Ａに表示される。
【００３８】
テンプレートベースＴｂは、内側が空白領域（但し図中には理解の容易のために「日付用」「性別用」「住所用」「名前用」「電話用」「年齢用」と付記している）である、複数（この例では６つ）のテキスト入力枠Ｗ１，Ｗ２，Ｗ３，Ｗ４，Ｗ５，Ｗ６と、それら複数のテキスト入力枠Ｗを囲む長方形のラベル外形線Ｑと、を備えている。この例では、このテンプレートベースＴｂは、自己紹介用の印字ラベルＬを作成するのを主目的として用意されたものである。すなわち、ユーザが日付を操作入力するための日付用入力枠Ｗ１が、ラベル外形線Ｑ内の上段左側に初期的に配置され（後述のように位置可変である。以下同様）ている。同様に、ユーザが性別を操作入力するための性別用入力枠Ｗ２がラベル外形線Ｑ内の上段中央に初期的に配置されており、ユーザが住所を操作入力するための住所用入力枠Ｗ３がラベル外形線Ｑ内の上段右側に初期的に配置されている。また、ユーザが名前を操作入力するための名前用入力枠Ｗ４がラベル外形線Ｑ内の下段左側に初期的に配置されており、ユーザが電話番号を操作入力するための電話用入力枠Ｗ５がラベル外形線Ｑ内の下段中央に初期的に配置されており、ユーザが年齢を操作入力するための年齢用入力枠Ｗ６がラベル外形線Ｑ内の下段右側に初期的に配置されている。
【００３９】
その後、ユーザは、図７（ｂ）に示すように、表示された上記６つのテキスト入力枠Ｗ１〜Ｗ６のうち、必要な入力枠Ｗにテキストを入力する。この例では、日付用入力枠Ｗ１内に「４月１日」のテキスト文字が入力され、住所用入力枠Ｗ３内に「羽島市米原１３」のテキスト文字が入力され、名前用入力枠Ｗ４内に「内子  五郎」のテキスト文字が入力されている。
【００４０】
上記ユーザによるテキスト文字の入力が終了すると、本実施形態では、図７（ｃ）に示すように、テキスト入力のなかった入力枠Ｗ（この例では性別用入力枠Ｗ２、電話用入力枠Ｗ５、年齢用の入力枠Ｗ６）が、ラベル外形線Ｑ内から自動的に消滅する。図８（ａ）は、この消滅後のテンプレートベースＴｂの姿を表している。本実施形態では、ユーザは、タッチパネル部５Ａへの操作により、残ったテキスト入力枠Ｗ１，Ｗ５，Ｗ６を所望の位置へ移動させ、所望の配置とすることができる。この例では、図８（ｂ）に示すように、例えば指先２０により住所用入力枠Ｗ３に接触して左下へドラッグ操作するとともに、名前用入力枠Ｗ４に接触して右上へドラック操作した場合を示している。
【００４１】
上記ドラッグ操作の結果、図８（ｃ）に示すように、もともとテンプレートベースＴｂ中の上段右側にあった住所用入力枠Ｗ３が下段左側（日付用入力枠Ｗ１の下）に移動し、名前用入力枠Ｗが上下方向中央の右側に移動している。このような上記移動後のテンプレートベースＴｂの表示状態において、例えばユーザが操作キー部２により適宜の確定操作を行うことにより、テンプレートベースＴｂ中の全てのテキスト入力枠Ｗの位置が変更不能に確定された、１つのテンプレートＴ１が生成される（図８（ｃ））。なお、生成されたテンプレートＴ１は、上記メモリ２２０の適宜の領域（ファイルメモリ領域）に記憶される。印字ラベル作成装置１において図８（ｃ）のテンプレートＴ１を用いて印刷が実行されることにより、図９（ａ）に示すように、テンプレートＴ１の上記入力枠Ｗ１，Ｗ３，Ｗ４それぞれの配置に対応して「４月１日」「羽島市米原１３」「内子  五郎」の印字Ｒが形成された印字ラベルＬ１が作成される。なお、本実施形態においては、上記のようにして作成されたテンプレートＴ１は、各入力枠Ｗ１，Ｗ２，Ｗ３の配置及びテンプレートＴ１の幅方向寸法は固定であるが、各入力枠Ｗ１，Ｗ２，Ｗ３内のテキスト文字についてはラベル作成時に編集可能となっている（後述のステップＳ１４０参照）。
【００４２】
＜テンプレートの作成例２＞
上記図８（ｃ）に示したテンプレートベースＴｂ（前述の確定操作前）について、本実施形態では、ユーザの操作により、さらにテンプレートベースＴｂの幅方向寸法の変更を行うこともできる。
【００４３】
すなわち、図１０（ａ）に示すテンプレートベースＴｂ（図８（ｃ）と同一）において、この例では、図１０（ｂ）に示すように、ユーザの指先２０がテンプレートベースＴｂの下端（ラベル外形線Ｑ上又はその近傍）に接触し、下方へスライドする操作が行われている。
【００４４】
上記スライド操作の結果、図１０（ｃ）に示すように、テンプレートベースＴｂの幅方向の寸法を変化（この例では増大。減少も可）させることができる。なお、この例では、日付用入力枠Ｗ１、住所用入力枠Ｗ３、名前用入力枠Ｗ４のテープ幅方向（図示上下方向）の適宜の位置合わせ（例えば均等配列化）も自動で行われている。このような上記寸法変更後のテンプレートベースＴｂの表示状態において、例えばユーザが操作キー部２により適宜の確定操作を行うことにより、テンプレートベースＴｂ中の全てのテキスト入力枠Ｗの位置が変更不能に確定され、かつ幅方向寸法が確定した、１つのテンプレートＴ２が生成される（図１０（ｃ））。なお、生成されたテンプレートＴ２は、上記メモリ２２０の適宜の領域（ファイルメモリ領域）に記憶される。印字ラベル作成装置１において図１０（ｃ）のテンプレートＴ２を用いて印刷が実行されることにより、図９（ｂ）に示すように、テンプレートＴ２の上記入力枠Ｗ１，Ｗ３，Ｗ４それぞれの配置に対応して「４月１日」「羽島市米原１３」「内子  五郎」の印字Ｒが形成され、かつ、大きな幅方向寸法を備えた印字ラベルＬ２が作成される。
【００４５】
なお、上記の例では、前述の確定操作前の図８（ｃ）（図１０（ａ））に示すテンプレートベースＴｂに基づきテンプレートＴ２を作成した場合を例にとって説明したが、これに限られない。すなわち、図７（ａ）〜（ｃ）を用いて説明したように、デフォルトのテンプレートベースＴｂを表示させてテキスト入力枠Ｗ１，Ｗ３，Ｗ４のみにテキスト文字の入力を行ってテキスト入力枠Ｗ２，Ｗ５，Ｗ６を消失させた後、（図８（ｂ）→図８（ｃ）のようなドラッグ操作を行う前に）図１０（ｂ）に示すスライド操作を行ってテンプレートベースＴｂの幅方向寸法を増大させても良い。この場合は、幅方向寸法が増大したテンプレートベースＴｂに対し図８（ｂ）→図８（ｃ）と同様のドラッグ操作を行うことで、図１０（ｃ）に示す態様を実現すればよい。
【００４６】
さらには、図７（ａ）に示すデフォルトのテンプレートベースＴｂを表示させた後、（テキスト入力枠Ｗへのテキスト文字の入力を行う前に）図１０（ｂ）に示すスライド操作を行ってテンプレートベースＴｂの幅方向寸法を増大させてもよい。この場合は、幅方向寸法が増大したテンプレートベースＴｂにおいて、テキスト入力枠Ｗ１，Ｗ３，Ｗ４のみにテキスト文字の入力を行ってテキスト入力枠Ｗ２，Ｗ５，Ｗ６を消失させた後、図８（ｂ）→図８（ｃ）と同様のドラッグ操作を行うことで、図１０（ｃ）に示す態様を実現すればよい。
【００４７】
＜テンプレートの作成例３＞
前述と同様、上記図８（ｃ）に示したテンプレートベースＴｂ（前述の確定操作前）について、本実施形態では、ユーザの操作により、さらにテンプレートベースＴｂの長手方向寸法の変更を行うこともできる。
【００４８】
すなわち、図１１（ａ）に示すテンプレートベースＴｂ（図８（ｃ）と同一）において、この例では、（図１１（ｂ）に示すように、ユーザの指先２０がテンプレートベースＴｂの右端（ラベル外形線Ｑ上又はその近傍）に接触し、右方向へスライドする操作が行われている。
【００４９】
上記スライド操作の結果、図１１（ｃ）に示すように、テンプレートベースＴｂの長手方向の寸法を変化（この例では増大。減少も可）させことができる。なお、この例では、日付用入力枠Ｗ１、住所用入力枠Ｗ３、名前用入力枠Ｗ４のテープ長手方向（図示左右方向）の適宜の位置合わせ（例えば均等配列化）も自動で行われている。このような上記寸法変更後のテンプレートベースＴｂの表示状態において、例えばユーザが操作キー部２により適宜の確定操作を行うことにより、テンプレートベースＴｂ中の全てのテキスト入力枠Ｗの位置が変更不能に確定され、かつ長手方向寸法が確定した、１つのテンプレートＴ３が生成される（図１１（ｃ））。なお、生成されたテンプレートＴ３は、上記メモリ２２０の適宜の領域（ファイルメモリ領域）に記憶される。印字ラベル作成装置１において図１１（ｃ）のテンプレートＴ３を用いて印刷が実行されることにより、図９（ｃ）に示すように、テンプレートＴ３の上記入力枠Ｗ１，Ｗ３，Ｗ４それぞれの配置に対応して「４月１日」「羽島市米原１３」「内子  五郎」の印字Ｒが形成され、かつ、大きな長手方向寸法を備えた印字ラベルＬ３が作成される。
【００５０】
なお、上記の例では、前述の確定操作前の図８（ｃ）（図１１（ａ））に示すテンプレートベースＴｂに基づきテンプレートＴ３を作成した場合を例にとって説明したが、これに限られない。すなわち、図７（ａ）〜（ｃ）を用いて説明したように、デフォルトのテンプレートベースＴｂを表示させてテキスト入力枠Ｗ１，Ｗ３，Ｗ４のみにテキスト文字の入力を行ってテキスト入力枠Ｗ２，Ｗ５，Ｗ６を消失させた後、（図８（ｂ）→図８（ｃ）のようなドラッグ操作を行う前に）図１１（ｂ）に示すスライド操作を行ってテンプレートベースＴｂの長手方向寸法を増大させても良い。この場合は、長手方向寸法が増大したテンプレートベースＴｂに対し図８（ｂ）→図８（ｃ）と同様のドラッグ操作を行うことで、図１１（ｃ）に示す態様を実現すればよい。
【００５１】
さらには、図７（ａ）に示すデフォルトのテンプレートベースＴｂを表示させた後、（テキスト入力枠Ｗへのテキスト文字の入力を行う前に）図１１（ｂ）に示すスライド操作を行ってテンプレートベースＴｂの長手方向寸法を増大させてもよい。この場合は、長手方向寸法が増大したテンプレートベースＴｂにおいて、テキスト入力枠Ｗ１，Ｗ３，Ｗ４のみにテキスト文字の入力を行ってテキスト入力枠Ｗ２，Ｗ５，Ｗ６を消失させた後、図８（ｂ）→図８（ｃ）と同様のドラッグ操作を行うことで、図１１（ｃ）に示す態様を実現すればよい。
【００５２】
＜テンプレート作成の制御手順＞
図７〜図１１に示した上記テンプレートＴ１，Ｔ２，Ｔ３等（各テンプレートを区別しない場合は以下適宜単に「テンプレートＴ」という）の作成手法を実現するために、印字ラベル作成装置１の制御回路に備えられた上記ＣＰＵが実行する制御手順を、図１２により説明する。
【００５３】
図１２において、まず、ステップＳ５で、ＣＰＵは、操作キー部２を介したユーザの適宜の操作入力に対応し、メモリ２２０からデフォルトのテンプレートベースＴｂ（上述の例では図７（ａ）に示したテンプレートベースＴｂ）を読み出して取得する。ステップＳ５が終了すると、ステップＳ１０に移る。
【００５４】
ステップＳ１０では、ＣＰＵは、タッチパネル部５Ａに制御信号を出力し、上記ステップＳ５で取得したテンプレートベースＴｂをタッチパネル部５Ａに表示させる（上記図７（ａ）参照）。ステップＳ１０が終了すると、ステップＳ１５に移る。
【００５５】
ステップＳ１５では、ＣＰＵは、テンプレートベースＴｂの各テキスト入力枠Ｗへのテキスト文字の入力等を含む、操作キー部２を介したユーザの各種編集操作を受け付ける（上記図７（ｂ）参照）。ステップＳ１５が終了すると、ステップＳ２０に移る。
【００５６】
ステップＳ２０では、ＣＰＵは、上記ステップＳ１５で受け付けた上記編集操作に基づき、テキスト入力枠Ｗのうちテキストの入力がない無入力の入力枠Ｗがあるか否かを判定する。無入力の入力Ｗ枠がなければステップＳ２０の判定が満たされず（Ｓ２０：ＮＯ）、後述のステップＳ３０に移る。無入力の入力枠ＷがあればステップＳ２０の判定が満たされ（Ｓ２０：ＹＥＳ）、ステップＳ２５に移る。
【００５７】
ステップＳ２５では、ＣＰＵは、タッチパネル部５Ａに制御信号を出力し、タッチパネル部５Ａに表示されたテンプレートベースＴｂから無入力のテキスト入力枠Ｗの表示を消滅させる。ステップＳ２５が終了すると、ステップＳ３０に移る。
【００５８】
ステップＳ３０では、ＣＰＵは、操作検出部１５での検出結果に基づき、ユーザによるタッチパネル部５Ａの操作が検出開始されたか否かを判定する。ユーザが例えば指先２０をタッチパネル部５Ａに接触するまでは、ステップＳ３０の判定が満たされず（Ｓ３０：ＮＯ）、ループ待機する。ユーザが例えば指先２０をタッチパネル部１３に接触するとステップＳ２５の判定が満たされ（Ｓ３０：ＹＥＳ）、ステップＳ３５に移る。なお、このステップＳ３０の判定が満たされた以降は、操作検出部１５からの検出信号に基づき、ユーザの指先２０によるタッチパネル部５Ａの操作がＣＰＵにより継続的に検出されている。
【００５９】
ステップＳ３５では、ＣＰＵは、上記ステップＳ３０以降の検出結果に基づき、ユーザの指先２０による、テンプレートベースＴｂ中のテキスト入力枠Ｗの位置変更操作（上記図８（ｂ）に示したドラッグ操作）がなされたか否かを判定する。ユーザが上記ドラッグ操作を行っていればステップＳ３５の判定が満たされ（Ｓ３５：ＹＥＳ）、ステップＳ４０に移る。ステップＳ４０では、ＣＰＵは、タッチパネル部５Ａに制御信号を出力し、テキスト入力枠Ｗの位置変更を反映させた（すなわち加工処理後の）テンプレートベースＴｂをタッチパネル部５Ａに表示させる（上記図８（ｃ）参照）。ステップＳ４０が終了すると、後述のステップＳ６５に移る。
【００６０】
一方、上記ステップＳ３５において、ユーザが上記ドラッグ操作を行っていなければステップＳ３５の判定が満たされず（Ｓ３５：ＮＯ）、ステップＳ４５に移る。ステップＳ４５では、ＣＰＵは、上記ステップＳ３０以降の検出結果に基づき、ユーザの指先２０による、テンプレートベースＴｂの幅方向寸法の変更操作（上記図１０（ｂ）に示したような上下方向のスライド操作）がなされたか否かを判定する。ユーザが上記スライド操作を行っていればステップＳ４５の判定が満たされ（Ｓ４５：ＹＥＳ）、ステップＳ５０に移る。ステップＳ５０では、ＣＰＵは、タッチパネル部５Ａに制御信号を出力し、幅方向寸法の変更を反映させた（すなわち加工処理後の）テンプレートベースＴｂをタッチパネル部５Ａに表示させる（上記図１０（ｃ）参照）。ステップＳ５０が終了すると、後述のステップＳ６５に移る。
【００６１】
一方、上記ステップＳ４５において、ユーザが上記スライド操作を行っていなければステップＳ４５の判定が満たされず（Ｓ４５：ＮＯ）、ステップＳ５５に移る。ステップＳ５５では、ＣＰＵは、上記ステップＳ３０以降の検出結果に基づき、ユーザの指先２０による、テンプレートベースＴｂの長手方向寸法の変更操作（上記図１１（ｂ）に示したような左右方向のスライド操作）がなされたか否かを判定する。ユーザが上記スライド操作を行っていればステップＳ５５の判定が満たされ（Ｓ５５：ＹＥＳ）、ステップＳ６０に移る。ステップＳ６０では、ＣＰＵは、タッチパネル部５Ａに制御信号を出力し、長手方向寸法の変更を反映させた（すなわち加工処理後の）テンプレートベースＴｂをタッチパネル部５Ａに表示させる（上記図１１（ｃ）参照）。ステップＳ６０が終了すると、ステップＳ６５に移る。一方、上記ステップＳ５５において、ユーザが上記スライド操作を行っていなければステップＳ５５の判定が満たされず（Ｓ５５：ＮＯ）、そのままステップＳ６５に移る。
【００６２】
ステップＳ６５では、ＣＰＵは、操作キー部２を介し、ユーザにより、上記加工後のテンプレートベースＴｂの確定操作があったか否かを判定する。上記確定操作がない場合は判定が満たされず（ステップＳ６５：ＮＯ）、上記ステップＳ３５へ戻って同様の手順を繰り返す。上記確定操作があった場合は判定が満たされ（ステップＳ６５：ＹＥＳ）、ステップＳ７０に移る。
【００６３】
ステップＳ７０では、ＣＰＵは、確定操作があった加工後のテンプレートＴｂを１つのテンプレートＴ（前述の例ではテンプレートＴ１，Ｔ２，Ｔ３）として確定する（上記図８（ｃ）、図１０（ｃ）、上記図１１（ｃ）参照）。これにより、上述したように、テープ幅方向寸法及び長手方向寸法が確定され、かつ、すべての入力枠Ｗの数及び配置位置が確定された、テンプレートＴが完成する。ステップＳ７０が終了すると、ステップＳ７５に移る。
【００６４】
ステップＳ７５では、ＣＰＵは、上記ステップＳ７０で確定されたテンプレートＴに対する、操作キー部２を介したユーザによる記憶指示に応じて、上記確定されたテンプレートＴをメモリ２２０の上記ファイルメモリ領域に格納する。その後、このフローを終了する。
【００６５】
なお、以上の図１２のフローにおいて、上記ステップＳ５を実行する上記ＣＰＵが各請求項記載のテンプレートベース取得手段として機能し、上記ステップＳ１５がテキスト入力受付手段として機能する。また、上記ステップＳ２５、ステップＳ４０、ステップＳ５０、ステップＳ６０を実行する上記ＣＰＵが各請求項記載のテンプレートベース加工手段として機能する。さらに、上記ステップＳ７０を実行する上記ＣＰＵが各請求項記載のテンプレートベース確定手段として機能し、上記ステップＳ７５を実行する上記ＣＰＵが各請求項記載の確定処理手段として機能する。
【００６６】
＜印字ラベル作成手順＞
上述のようにして作成されメモリ２２０に格納されたテンプレートを用いて、印字ラベルの作成処理時に印字ラベル作成装置１の制御回路２１０の上記ＣＰＵが実行する制御手順を、図１３により説明する。図１３のフローは、例えばユーザが印字ラベル作成装置１の電源をＯＮすると開始する。
【００６７】
図１３において、まず、ステップＳ１１０で、ＣＰＵは、タッチパネル部５Ａに制御信号を出力し、メモリ２２０のファイルメモリ領域内に記憶されている複数の上記テンプレートＴの一覧を表示させる。ステップＳ１１０が終了すると、ステップＳ１２０に移る。
【００６８】
ステップＳ１２０では、ＣＰＵは、上記ステップＳ１１０での一覧表示に応じて、ユーザによりどれか１つのテンプレートＴが選択されたか否かを判定する。ユーザが操作キー部２の適宜の操作によりどれか１つのテンプレートＴを選択するまではステップＳ１２０の判定が満たされず（Ｓ１２０：ＮＯ）、上記ステップＳ１１０へ戻って同様の手順を繰り返す。ユーザによりどれか１つのテンプレートＴが選択された場合はステップＳ１２０の判定が満たされ（Ｓ１２０：ＹＥＳ）、ステップＳ１３０に移る。
【００６９】
ステップＳ１３０では、ＣＰＵは、上記ステップＳ１２０でユーザにより選択されたテンプレートＴを上記メモリ２２０から読み込み、タッチパネル部５Ａに表示させる。ステップＳ１３０が終了すると、ステップＳ１４０に移る。
【００７０】
ステップＳ１４０では、ＣＰＵは、上記ステップＳ１３０で読み込まれてタッチパネル部５Ａに表示されたテンプレートＴの各テキスト入力枠Ｗに対する、ユーザによる新たな編集操作を受け付ける。ユーザが操作キー部２を適宜に操作し、テンプレートＴの各入力枠Ｗへの各種編集操作を行うと、その編集操作が受け付けられるとともに、編集後のテンプレートがタッチパネル部５Ａに表示される（図３参照）。なお、上記のように作成されメモリ２２０に格納されたテンプレートＴが、各入力枠Ｗへの編集操作が不能なものである場合（読み出されたテンプレートＴに対応した固定的な態様の印字のみ実行可能である場合）には、このステップＳ１４０は省略される。ステップＳ１４０が終了すると、ステップＳ１５０に移る。
【００７１】
ステップＳ１５０では、ＣＰＵは、上記操作キー部２又はタッチパネル部５Ａでの適宜の操作により、上記ステップＳ１３０で読み込まれ（もしくはさらに上記ステップＳ１４０で受け付けた編集操作後の）タッチパネル部５Ａに表示されたテンプレートＴを用いた印字ラベルの作成指示があったか否かを判定する。当該印字ラベル作成指示があるまでは、ステップＳ１５０の判定が満たされず（Ｓ１５０：ＮＯ）、ループ待機する。上記印字ラベルの作成指示があった場合には、ステップＳ１５０の判定が満たされ（Ｓ１５０：ＹＥＳ）、ステップＳ２００に移る。
【００７２】
ステップＳ２００では、ＣＰＵは、上記ステップＳ１３０で読み込まれ（もしくはさらに上記ステップＳ１４０で受け付けた編集操作後の）テンプレートＴを用いた印字ラベルの作成処理を実行し、このフローを終了する。
【００７３】
＜ラベル作成処理＞
上記ステップＳ２００のラベル作成処理の詳細手順を図１４を用いて説明する。
【００７４】
図１４において、まず、ステップＳ２１０で、ＣＰＵは、ローラ駆動回路２０９に制御信号を出力し、ローラ駆動用モータ２０８の駆動を開始する。これにより、テープ送りローラ駆動軸１０８が回転駆動して送りローラ２７の回転が開始され、前述のように、カバーフィルム１０３、基材テープ１０１、及びこれらが貼り合わされた印字済みラベル用テープ１０９の搬送が開始される。その後、ステップＳ２２０に移る。
【００７５】
ステップＳ２２０では、ＣＰＵは、カバーフィルム１０３の搬送方向位置が所定の印刷開始位置に達したかどうか否かを公知の手法で判定する。印刷開始位置に達していない場合は判定が満たされず（Ｓ２２０：ＮＯ）、ステップＳ２１０に戻って同様の手順を繰り返す。印刷開始位置に達したらステップＳ２２０の判定が満たされ（Ｓ２２０：ＹＥＳ）、ステップＳ２３０に移る。
【００７６】
ステップＳ２３０では、ＣＰＵは、印刷駆動回路２０５に対し、上記図１３のステップＳ１３０で読みこまれ（若しくはさらに上記ステップＳ１４０で受け付けた編集操作後の）テンプレートＴを用いた印刷データに対応した制御信号を出力する。これにより、上記印刷データに対応してサーマルヘッド２３の発熱素子２３ａが駆動され、カバーフィルム１０３に対し、当該印刷データに対応した印字Ｒの形成が開始される。その後、ステップＳ２４０に移る。
【００７７】
ステップＳ２４０では、ＣＰＵは、カバーフィルム１０３の搬送方向位置が所定の印刷終了位置に達したかどうか否かを公知の手法で判定する。印刷終了位置に達していない場合は判定が満たされず（Ｓ２４０：ＮＯ）、ループ待機する。印刷終了位置に達したらステップＳ２４０の判定が満たされ（Ｓ２４０：ＹＥＳ）、ステップＳ２５０に移る。
【００７８】
ステップＳ２５０では、ＣＰＵは、印刷駆動回路２０５に対して制御信号を出力し、上記印刷データに対応したサーマルヘッド２３の発熱素子２３ａの通電を停止し、印刷を終了させる。その後、ステップＳ２６０に移る。
【００７９】
ステップＳ２６０では、ＣＰＵは、印字済みラベル用テープ１０９の搬送方向位置がテープ切断位置まで到達したか否かを公知の手法で判定する。テープ切断位置に到達するまでは判定が満たされず（Ｓ２６０：ＮＯ）ループ待機する。テープ切断位置に到達したらステップＳ２６０の判定が満たされ（Ｓ２６０：ＹＥＳ）、ステップＳ２７０に移る。
【００８０】
ステップＳ２７０では、ＣＰＵは、ローラ駆動回路２０９に制御信号を出力し、ローラ駆動用モータ２０９の駆動を停止する。これにより、送りローラ２７の回転が停止し、カバーフィルム１０３、基材テープ１０１、及びこれらが貼り合わされた印字済みラベル用テープ１０９の搬送が停止する。その後、ステップＳ２８０に移る。
【００８１】
ステップＳ２８０では、ＣＰＵは、カッタソレノイド駆動回路３００に制御信号を出力する。これにより、カッタソレノイド２８０が通電されて励磁され、カッタ４０が切断動作を行って、印字済みラベル用テープ１０９を所定の長さで切断する。その結果、ユーザの所望の印字内容を有する印字ラベルＬが生成され、上記排出口１Ｂから筐体１Ａ外へと排出される。そして、このフローを終了する。
【００８２】
＜実施形態の効果＞
以上説明したように、本実施形態においては、共通の１つのテンプレートベースＴｂが予め用意され、タッチパネル部５Ａに表示される。ユーザは、（確定させてテンプレートＴとする前の）テンプレートベースＴｂのテキスト入力枠Ｗに対し所望のテキスト文字を入力することができる。そして、その後に操作キー部２等を介し適宜の操作を行うことで、上記入力後のテンプレートベースＴｂにおいて、対応した少なくとも１つの加工（テキスト入力枠Ｗの位置変更、テキスト入力枠Ｗの消失、テンプレートベースＴｂの幅方向寸法や長手方向寸法の変更、等）が行われる。さらにその後、ユーザが、この加工後のテンプレートベースＴｂの表示状態において操作キー部２を介し適宜の確定操作を行うと、当該テンプレートベースＴｂ中のすべてのテキスト入力枠Ｗの位置や上記テンプレートベースＴｂの寸法が変更不能に確定され、これによって１つのテンプレートＴが生成される。
【００８３】
以上のようにして、ユーザは、共通の１つのテンプレートベースＴｂをアレンジして、所望のテンプレートＴを作成できるので、種々の態様の複数のテンプレートＴを容易に作成することができる。特に、１つのテンプレートＴを部分的に変えた複数種類のテンプレート（上記の例ではテンプレートＴ１，Ｔ２，Ｔ３）を適宜に使用したい場合に、それら複数種類のテンプレートを共通の１つのテンプレートベースＴｂから容易に作成できるので、利便性を向上することができる。
【００８４】
また、本実施形態では特に、タッチパネル部５Ａにおいて、指先２０の接触により適宜の操作が行われることで、これに対応して、上記テキスト入力枠Ｗの位置変更、上記テキスト入力枠Ｗの消失、上記テンプレートベースＴｂの幅方向寸法・長手方向寸法の変更等の加工が行われる。
【００８５】
これにより、ユーザは、タッチパネル部５Ａに表示されたテンプレートベースＴｂに対し、手指２０等により適宜の接触操作を行うだけで、テンプレートベースＴｂに対し対応する所望の加工を行うことができる。
【００８６】
また、本実施形態では特に、上記テンプレートベースＴｂの表示状態において、ユーザが操作キー部２を介したテキスト入力枠Ｗへの上記テキスト文字入力を行わない場合（デフォルトで入力済みのテキスト文字の変更を行わない場合を含む）には、特にテキスト入力枠Ｗの消失のための操作を行わなくても自動的に当該テキスト入力枠Ｗの消失が実行される。これにより、前述のようにしてテンプレートベースＴｂを加工するときのユーザの操作労力を低減できる（いちいちテキスト入力枠Ｗの消失操作をしなくてもよい）ので、さらに利便性を向上することができる。
【００８７】
なお、以上においては、印字ラベル作成装置１においてテンプレートＴの作成と当該テンプレートＴを用いた印字ラベルＬの作成の両方が行われる（すなわち印字ラベル作成装置１がテンプレート作成装置として機能する）場合を例にとって説明したが、これに限られない。すなわち、印字ラベル作成装置１に上記通信回線を介して接続された操作端末（マウス、キーボード、等の操作手段とディスプレイ等の表示手段とを備えるＰＣ、あるいはスマートフォン等の携帯電話端末でもよい）での操作により、上述した手法によりテンプレートＴの作成が行われても良い。すなわち、上記操作端末がテンプレート作成装置に相当する。この場合には、図１２に示すフローが操作端末で実行される際、上記タッチパネル部５Ａの接触操作に代えて、マウス・キーボードの操作によるディスプレイ上のカーソル移動によって、上記のテキスト入力枠Ｗの移動やテンプレートベースＴｂの寸法変更等の操作が行われてもよい（但しタッチパネルを備えたＰＣや携帯電話端末の場合には、上記同様の指先２０による接触操作でもよい）。そしてこのようにして作成されたテンプレートＴが印字ラベル作成装置１へと送信され、印字ラベル作成装置１では、受信された上記テンプレートを用いて、図１３及び図１４の制御手順によって印字ラベルＬが作成される。この場合も、上記同様の効果を得る。
【００８８】
なお、以上において、図５中に示す矢印は信号の流れの一例を示すものであり、信号の流れ方向を限定するものではない。
【００８９】
また、図１２、図１３、図１４に示すフローチャートは本発明を上記フローに示す手順に限定するものではなく、発明の趣旨及び技術的思想を逸脱しない範囲内で手順の追加・削除又は順番の変更等をしてもよい。
【００９０】
また、以上既に述べた以外にも、上記実施形態による手法を適宜組み合わせて利用しても良い。
【００９１】
その他、一々例示はしないが、本発明は、その趣旨を逸脱しない範囲内において、種々の変更が加えられて実施されるものである。
【符号の説明】
【００９２】
１                印字ラベル作成装置（テンプレート作成装置）
２                操作キー部（操作手段）
５Ｂ              タッチパネル部（操作手段、表示手段）
１５              操作検出部（操作検出手段）
２０              指先
２１０            制御回路
２２０            メモリ（記憶手段）
Ｔ                テンプレート
Ｔｂ              テンプレートベース
Ｗ                テキスト入力枠
【図１】
2015149014.tif 000003
【図２】
2015149014.tif 000004
【図３】
2015149014.tif 000005
【図４】
2015149014.tif 000006
【図５】
2015149014.tif 000007
【図６】
2015149014.tif 000008
【図７】
2015149014.tif 000009
【図８】
2015149014.tif 000010
【図９】
2015149014.tif 000011
【図１０】
2015149014.tif 000012
【図１１】
2015149014.tif 000013
【図１２】
2015149014.tif 000014
【図１３】
2015149014.tif 000015
【図１４】
2015149014.tif 000016